(57)【要約】  剥離テープを用いることなく、粘着テープに剥がししろとなる非粘着部を形成できるテープ繰り出し装置を提供する。  テープ繰り出し装置100を、テープロールを支持するためのテープロール支持手段と、前記テープロールから繰り出された粘着テープＴの側端部Ｔ０を粘着テープＴの長手方向に沿って折り返すためのテープ折り返し手段130とが備えられたものとした。テープ折り返し手段130は、粘着テープＴの幅方向に略平行に配される略円柱状の胴部131と、胴部131の一端側又は両端側にフランジ状に設けられた略円盤状の頭部132とを有するものとした。頭部132の胴部対向面の中央には、すり鉢状に陥没した陥没部135が形成されている。粘着テープＴは、頭部132で幅が規制されて側端部Ｔ０を粘着面α側に起立させられ、胴部131で側端部Ｔ０を粘着面α側に倒伏させられる。【特許請求の範囲】
【請求項１】
テープロールを支持するためのテープロール支持手段と、前記テープロールから繰り出された粘着テープの側端部を該粘着テープの長手方向に沿って折り返すためのテープ折り返し手段とが備えられ、テープ折り返し手段が、前記粘着テープの幅方向に略平行に配される略円柱状の胴部と、該胴部の一端側又は両端側にフランジ状に設けられた略円盤状の頭部とからなり、前記頭部で前記粘着テープの幅を規制して前記側端部を粘着面側に起立させ、前記胴部で前記側端部を粘着面側に倒伏させる、テープ繰り出し装置において、前記頭部の胴部対向面の中央にすり鉢状に陥没した陥没部が形成されてなるテープ繰り出し装置。
【請求項２】
前記陥没部が円錐面によって形成され、該円錐面の頂角が１０〜１７０°である請求項１記載のテープ繰り出し装置。
【請求項３】
前記頭部の外周面が、胴部側から反対側に向かって広がる円錐面からなる請求項１又は２記載のテープ繰り出し装置。
【請求項４】
前記頭部の外周面の頂角が１０〜１７０°である請求項３記載のテープ繰り出し装置。
【請求項５】
前記頭部の胴部対向面と外周面とによって形成される稜部が平坦に形成されてなる請求項１〜４いずれか記載のテープ繰り出し装置。
【請求項６】
テープ折り返し手段が、前記胴部の中心軸周りに回転可能に支持されてなる請求項１〜５いずれか記載のテープ繰り出し装置。
【請求項７】
粘着テープを切断するためのテープ切断手段を請求項１〜６いずれか記載のテープ繰り出し装置に設けてなるテープ切断装置。
【請求項８】
粘着テープを対象物に巻回するためのテープ巻回手段を請求項１〜６いずれか記載のテープ繰り出し装置に設けてなるテープ貼着装置。
【発明の詳細な説明】
【技術分野】
【０００１】
本発明は、テープロールから繰り出された粘着テープの側端部を該粘着テープの長手方向に沿って折り返して非粘着部を形成できるテープ繰り出し装置に関する。
【背景技術】
【０００２】
従来より、内部に商品が詰められた包装袋の袋口に粘着テープを巻回し、前記包装袋を密封することが行われている。粘着テープの巻回は、通常、バッグシーラと呼ばれるテープ貼着装置を用いて行われる。この種のテープ貼着装置は、菓子や青果等の包装袋を密封するためのものとして、スーパーマーケットやデパート等で広く用いられている。しかし、テープ貼着装置によって袋口に巻回された粘着テープは、粘着面同士がしっかりと密着していて剥がすのに一苦労することも多く、開封者が、煩わしい作業を強いられることも多々あった。このような実状に鑑みて、過去には、袋口に巻回された粘着テープに剥がししろとなる非粘着部を形成することができるように工夫が施されたテープ貼着装置等が提案されている。【０００３】
例えば、特許文献１には、粘着テープの両端部に剥離テープを重ねて貼り付けることができるようにした結束器が記載されている。また、特許文献２〜７には、粘着テープの側端部を該粘着テープの長手方向に沿って折り返すことにより非粘着部を形成できるようにした各種装置が記載されている。このうち、特許文献２，３のテープ貼着器は、入口側の幅が狭く形成され出口側の幅が広く形成された折り込み片等を用いて粘着テープの側端部を折り返すものとなっている。これに対し、特許文献４〜７のテープ側縁折り重ね装置やテープカッターは、型付ローラや癖付ローラ等の各種ローラを用いて粘着テープの側端部を折り返すものとなっている。【０００４】
【特許文献１】実公昭６０−０１６４９０号公報（実用新案登録請求の範囲、１頁、第４図、第５図）
【特許文献２】実公昭４９−０４１０２３号公報（実用新案登録請求の範囲、２頁、第２図）
【特許文献３】実公昭４９−０４１０２４号公報（実用新案登録請求の範囲、２頁、第２図）
【特許文献４】実開平０４−０５６１６５号公報（実用新案登録請求の範囲、５頁、６頁、第１図）
【特許文献５】特開２００３−０１１０８１号公報（特許請求の範囲、［００２９］、図４）
【特許文献６】特開２００３−２０６０６６号公報（特許請求の範囲、［００２５］、［００２６］、［００３３］、図５、図８）
【特許文献７】特開２００３−２０６０６７号公報（特許請求の範囲、［００２６］、［００２７］、［００３４］、図３、図８）
【発明の開示】
【発明が解決しようとする課題】
【０００５】
しかし、特許文献１の結束器は、２種類のテープを用いるものであったために、テープの取付けや交換が煩わしいだけでなく、剥離テープを収容したり繰り出したりするためのスペースや機構を別途新たに設けなければならず、それまでのテープ貼着装置と比較して、寸法が大きく構造が複雑なものであった。また、特許文献２，３のテープ貼着器は、前記折り込み片等が粘着テープに広い面積で接触するものであったために、前記折り込み片等で粘着テープを案内する際に、該粘着テープに大きな摩擦力が作用し易いものであった。粘着テープに大きな摩擦力が作用すると、粘着テープに皺が形成され易くなるだけでなく、粘着テープの側端部が好適に折り返されなくなるおそれもある。これに対し、特許文献４のテープ側縁折り重ね装置は、特許文献２，３のテープ貼着器と比較して、粘着テープに作用する摩擦力は低減できるものではあったが、それでも型付ローラの鍔片が広い面積で粘着テープの側縁に接触するものであり、粘着テープに形成される皺を防止するのは必ずしも容易ではなかった。さらに、特許文献５〜７のテープカッターも、粘着テープの粘着面が規制ローラや癖付ローラ等の外周面や端部に接触するものであったために、各種ローラで粘着テープを案内する際に、該粘着テープに大きな摩擦力が作用し易いものであった。【０００６】
本発明は、上記課題を解決するためになされたものであり、剥離テープを用いることなく、粘着テープに剥がししろとなる非粘着部を形成できるテープ繰り出し装置を提供するものである。すなわち、粘着テープの側端部を該粘着テープの長手方向に沿って折り返すことにより、非粘着部を形成できるテープ繰り出し装置を提供するものである。また、粘着テープの側端部を折り返す際に該粘着テープに生じ得る皺を防ぐことができ、該側端部を好適に折り返すことも容易なテープ繰り出し装置を提供するものである。さらに、このテープ繰り出し装置を応用したテープ切断装置とテープ貼着装置を提供するものである。
【課題を解決するための手段】
【０００７】
上記課題は、テープロールを支持するためのテープロール支持手段と、前記テープロールから繰り出された粘着テープの側端部を該粘着テープの長手方向に沿って折り返すためのテープ折り返し手段とが備えられ、テープ折り返し手段が、前記粘着テープの幅方向に略平行に配される略円柱状の胴部と、該胴部の一端側又は両端側にフランジ状に設けられた略円盤状の頭部とからなり、前記頭部で前記粘着テープの幅を規制して前記側端部を粘着面側に起立させ、前記胴部で前記側端部を粘着面側に倒伏させる、テープ繰り出し装置において、前記頭部の胴部対向面の中央にすり鉢状に陥没した陥没部が形成されてなるテープ繰り出し装置を提供することによって解決される。これにより、前記頭部の胴部対向面の中央が粘着テープの側端部に接触しないようにして、粘着テープがテープ折り返し手段から受ける摩擦力を低減することが可能になる。【０００８】
前記陥没部の形状は、特に限定されるものではなく、球面や回転楕円面や回転放物面等であってもよいが、前記陥没部が円錐面によって形成され、該円錐面の頂角（以下、頂角θ１と表記する）が１０〜１７０°であることが好ましい。頂角θ１が、１０度未満であると、前記頭部の胴部対向面と外周面とで形成される稜部が先鋭になり過ぎて、粘着テープに傷がついたり引っかかったりするおそれがあるためである。頂角θ１は、６０°以上であるとより好ましく、９０度以上であるとさらに好ましい。１２０°以上であると最適である。これに対し、頂角θ１が、１７０°を超えると、粘着テープの側端部が前記胴部対向面の中央部に接触するおそれがある。頂角θ１は、１６０°以下であるとより好ましく、１５０°以下であるとさらに好ましい。１５０°以下であると最適である。【０００９】
前記頭部の外周面が、胴部側から反対側に向かって広がる円錐面からなり、前記頭部の外周面（円錐面）の頂角（以下、頂角θ２と表記する）が１０〜１７０°であると好ましい。頂角θ２が、１０°未満であると、前記頭部の胴部対向面と外周面とで形成される稜部が先鋭になり過ぎて、粘着テープに傷がついたり引っかかったりするおそれがあるためである。頂角θ２は、２０°以上であるとより好ましく、３０度以上であるとさらに好ましい。４０°以上であると最適である。これに対し、頂角θ２が、１７０°を超えると、粘着テープの側端部が前記頭部の外周面に広い面積で接触して、粘着テープがテープ折り返し手段から受ける摩擦力が増大するおそれがある。頂角θ２は、１４０°以下であるとより好ましく、１１０°以下であるとさらに好ましい。８０°以下であると最適である。【００１０】
前記頭部の胴部対向面と外周面とによって形成される稜部が平坦に形成されてなることも好ましい。これにより、前記頭部の胴部対向面と外周面とで形成される稜部をなだらかにして、該稜部を粘着テープにより滑らかに接触させることが可能になり、粘着テープがテープ折り返し手段から受ける摩擦力をさらに低減させることができる。粘着テープがテープ折り返し手段から受ける摩擦力は、テープ折り返し手段を前記胴部の中心軸周りに回転可能に支持することによっても低減させることができる。【００１１】
粘着テープを切断するためのテープ切断手段を前記テープ繰り出し装置に設けてテープ切断装置とすることも好ましい。テープ切断手段は、側端部が折り返された粘着テープを所望の長さに切断することができるように、テープ折り返し手段のテープ排出側（テープロール支持手段が設けられている側の反対側）に設けられる。また、粘着テープを包装袋等の対象物に巻回するためのテープ巻回手段を前記テープ切断装置に設けてテープ貼着装置とすることも好ましい。テープ巻回手段は、側端部が折り返された状態で粘着テープを対象物に巻回することができるように、テープ折り返し手段のテープ排出側に設けられる。テープ貼着装置にテープ切断手段が設けられている場合は、テープ巻回手段は、通常、テープ折り返し手段とテープ切断手段との間に設けられる。
【発明の効果】
【００１２】
以上のように、本発明のテープ繰り出し装置は、粘着テープの側端部を該粘着テープの長手方向に沿って折り返して非粘着部を形成するものであり、剥離テープを用いることなく、粘着テープに剥がししろとなる非粘着部を形成することが可能なものである。このため、開封者が粘着テープを剥がす際に感じるストレスを軽減できるだけでなく、テープ繰り出し装置を寸法が小さく簡素な構造のものとすることも可能になる。また、粘着テープがテープ折り返しガイドから受ける摩擦力を低減して、粘着テープの側端部を折り返す際に該粘着テープに生じ得る皺や傷を防ぐことが容易になる。さらに、このテープ繰り出し装置を応用したテープ切断装置やテープ貼着装置等の各種の装置を提供することも可能になる。
【図面の簡単な説明】
【００１３】
【図１】テープ貼着装置の一実施態様を示した斜視図である。
【図２】図１のテープ貼着装置の一方の側板を取り外した状態を示した斜視図である。
【図３】図２のテープ貼着装置を右側面から見た拡大図である。
【図４】粘着テープを折り返しているテープ折り返しローラを拡大した斜視図である。
【図５】粘着テープを折り返しているテープ折り返しローラを拡大した右側面図である。
【図６】テープ折り返しローラをその回転軸を通る平面で切断した状態を示した断面図である。
【図７】初期状態にあるときのテープ貼着装置のテープ巻回ローラ周辺を拡大した図である。
【図８】包装袋のネックが貼着対象物嵌入溝に嵌入されたときのテープ貼着装置のテープ巻回ローラ周辺を拡大した図である。
【図９】包装袋のネックが第一案内部の出口付近にあるときのテープ貼着装置のテープ巻回ローラ周辺を拡大した図である。
【図１０】テープ巻回アームが粘着テープに環状部を形成しているときのテープ貼着装置のテープ切断アーム周辺を拡大した図である。
【図１１】切断刃が粘着テープを切断しているときのテープ貼着装置のテープ切断アーム周辺を拡大した図である。
【図１２】包装袋のネックが取り出し口にあるときのテープ切断アーム周辺を拡大した図である。
【図１３】本実施態様のテープ貼着装置を用いて密封した包装袋のネック周辺を拡大した斜視図である。
【符号の説明】
【００１４】
１００  テープ貼着装置（テープ繰り出し装置）
１１０  一対の側板
１１１  縦壁部
１１２  脚部
１１３  テープリール案内溝
１１４  貼着対象物案内溝
１１５  貼着対象物案内溝
１１６  第一案内部
１１７  第二案内部
１１８  取り出し口
１２０  テープリール（テープロール支持手段）
１２１  テープリール中心部
１２２  アーム部
１２３  軸部
１３０  テープ折り返しローラ（テープ折り返し手段）
１３１  胴部
１３２  頭部
１３３  軸受孔
１３４  頭部の外周面
１３５  陥没部
１３６  稜部
１３７  平坦部
１４０  テープ巻回ローラ（テープ巻回手段）
１４１  中心部
１４２  アーム部
１４３  貼着対象物嵌入溝
１４４  軸受孔
１５０  テープ巻回アーム（テープ巻回手段）
１５１  アーム基端部
１５２  アーム先端部
１５３  軸受孔
１５４  湾曲凹部
１６０  テープ切断アーム（テープ切断手段）
１６１  アーム基端部
１６２  アーム先端部
１６３  切断刃
１６４  軸受孔
１６５  湾曲凸部
１７０  テープ押さえアーム（テープ押さえ手段）
１７１  アーム基端部
１７２  アーム先端部
１７３  軸受孔
１７４  湾曲凸部
１８０  切断ユニット（仕上げ手段）
１８１  切断刃
１８２  ケース
１８３  貼着対象物案内溝
２００  テープロール
３００  包装袋のネック（貼着対象物）
Ａ１  第一接触部
Ａ２  第二接触部
Ａ３  第三接触部
Ｂ１〜Ｂ１４  ボルト
Ｐ１〜Ｐ４  パイプ
Ｓ１〜Ｓ３  スプリング
Ｔ  粘着テープ
Ｔ０  側端部
Ｔ１  起立部
Ｔ２  倒伏部
Ｔ３  非起立部
Ｔ４  環状部
Ｔ５  非貼着部
α  粘着面
β  非粘着面
θ１  頂角
θ２  頂角
θ３  屈曲角度
【発明を実施するための最良の形態】
【００１５】
本発明のテープ繰り出し装置を、図面を用いてより具体的に説明する。以下においては、本発明のテープ繰り出し装置を、その好適な応用例であるテープ貼着装置を例に挙げて説明する。図１は、テープ貼着装置の一実施態様を示した斜視図である。図２は、図１のテープ貼着装置の一方の側板を取り外した状態を示した斜視図である。図３は、図２のテープ貼着装置を右側面から見た拡大図である。図４は、粘着テープを折り返しているテープ折り返しローラを拡大した斜視図である。図５は、粘着テープを折り返しているテープ折り返しローラを拡大した右側面図である。図６は、テープ折り返しローラをその回転軸を通る平面で切断した状態を示した断面図である。【００１６】
［テープ貼着装置の全体構成］
まず、テープ貼着装置100の全体構成について説明する。テープ貼着装置100は、図１に示すように、テープ貼着装置100を構成する殆どの部品が、一対の側板110の隙間に収容されたものとなっている。本実施態様のテープ貼着装置100では、図２に示すように、テープリール120と、テープ折り返しローラ130と、テープ巻回ローラ140と、テープ巻回アーム150と、テープ切断アーム160と、テープ押さえアーム170と、切断ユニット180と、スプリングＳ１〜Ｓ３とが、一対の側板110の隙間に収容されている。テープリール120の外周部には、粘着テープＴが巻装されたテープロール200が嵌められている。粘着テープＴには、一方が粘着面αで他方が非粘着面βの片面粘着テープを用いている。粘着テープＴは、粘着面αが上側を向いた状態でテープロール200から繰り出されるようになっている。【００１７】
［側板］
一対の側板110は、図１に示すように、縦壁部111と脚部112とからなっている。一方の側板は、他方の側板と略対称な形状になっている。各側板の縦壁部111には、テープリール120を案内するためのテープリール案内溝113と、貼着対象物を案内するための貼着対象物案内溝114，115と、ボルトＢ１〜Ｂ１４を嵌入するためのボルト孔（図示省略）とが設けられている。脚部112は、一対の側板110の下端部を外方に折り曲げることによって形成している。脚部112は、縦壁部111と別個に成形してもよい。【００１８】
［テープリール（テープロール支持手段）］
テープリール120は、テープロール200を支持するためのテープロール支持手段として設けている。テープリール120は、図３に示すように、中心部121と、中心部121から放射状に延びる複数本のアーム部122と、中心部121から側方に突設した軸部123とからなっている。軸部123は、図１に示すように、一対の側板110に設けられたテープリール案内溝113に嵌入されて、テープリール案内溝113の最深部で回転可能に支持される。テープリール120は、粘着テープＴが矢印ａ（図３）の向きに繰り出されると、軸部123を中心に矢印ｂ（図３）の向きに回転する。テープリール120は、初期状態において、静止した状態となっている。【００１９】
［テープ折り返しローラ（テープ折り返し手段）］
テープ折り返しローラ130は、テープロール200から繰り出された粘着テープＴの側端部Ｔ０（図４）を粘着テープＴの長手方向に沿って折り返すためのテープ折り返し手段として設けている。テープ折り返しローラ130の取付け位置は、図３に示すように、テープロール200とテープ巻回ローラ140との間で、粘着テープＴを非粘着面βを内側にして屈曲した状態で緊張させることができる位置であれば特に限定されないが、通常、粘着テープＴの屈曲角度θ３（図３）を５〜９０°の範囲に保つことができる位置に取り付けられる。屈曲角度θが５°未満であると、粘着テープＴの側端部Ｔ０（図４）が折り返されないおそれがあるし、屈曲角度θが９０°よりも大きいと、テープ貼着装置100の寸法が無駄に大きくなるおそれがあるためである。屈曲角度θは、１０°以上であると好ましく、２０°以上であるとより好ましい。また、屈曲角度θは、８０°以下であると好ましく、７０°以下であるとより好ましい。【００２０】
テープ折り返しローラ130は、図４〜図６に示すように、胴部131と、胴部131の一端部にフランジ状に設けられた頭部132とからなっている。胴部131は、円柱状に形成されており、胴部131には、胴部131を軸方向に貫通する軸受孔133が設けられている。軸受孔133には、ボルトＢ１が遊挿されて、テープ折り返しローラ130は、ボルトＢ１（図１）を中心に回転可能に軸支される。粘着テープＴが矢印ａ（図３）の向きに繰り出されると、テープ折り返しローラ130は、ボルトＢ１を中心に矢印ｃ（図３）の向きに回転する。胴部131は、頭部132と一体的に形成されており、胴部131が回転すると頭部132も連動して回転するようになっている。【００２１】
テープ折り返しローラ130の頭部132は、図４〜図６に示すように、略円錐台状に形成されており、頭部132の外周面134は、胴部131に近い側から遠い側にかけて径が徐々に大きくなる円錐面によって形成されている。頭部132の外周面（円錐面）134の頂角θ２（図６）は、約６５°となっている。また、頭部132の各面のうち胴部対向面（胴部131に対向する側の面）には、中央に円錐面からなる陥没部135が形成されている。陥没部135を形成する円錐面の頂角θ１（図６）は、約１３０°となっている。このため、頭部132の外周面134と胴部対向面とによって形成される稜部136は、胴部131の側に突き出た形状となっている。稜部136の先端には平端部137が形成されている。【００２２】
［テープ折り返しローラの動作原理］
テープ折り返しローラ130の動作原理に付いて説明する。テープロール200から繰り出された粘着テープＴは、図５に示すように、テープ折り返しローラ130とまず第一接触部Ａ１で接触する。第一接触部Ａ１では、テープ折り返しローラ130の稜部136が、粘着テープＴの側端部Ｔ０に非粘着面β側から接触して、側端部Ｔ０を粘着面α側に折り曲げられた起立部Ｔ１にする。このとき、第一接触部Ａ１で粘着テープＴの幅が急激に狭められると、粘着テープＴが第一接触部Ａ１で引っ掛かって、粘着テープＴに好ましくない皺が形成されるおそれがあるが、本実施態様のテープ貼着装置100では、テープ折り返しローラ130の外周面134がテーパ状に形成されているために、粘着テープＴが、第一接触部Ａ１で引っ掛かりにくいようになっている。また、万が一、粘着テープＴが第一接触部Ａ１で引っ掛かったとしても、その場合には、テープ折り返しローラ130が摩擦によって矢印ｃ（図３）の向きに回転して、粘着テープＴが第一接触部Ａ１から無理なく送り出されるようになっている。テープ折り返しローラ130は、ボルトＢ１に対して回転対称に形成されているために、回転しても粘着テープＴに常に同じ状態で接触し続けることができるようになっている。【００２３】
第一接触部Ａ１を通過して起立部Ｔ１が形成された粘着テープＴは、図５に示すように、テープ折り返しローラ130から一旦離れた後、テープ折り返しローラ130と再び第二接触部Ａ２で接触する。第二接触部Ａ２では、テープ折り返しローラ130の胴部131の外周面が、粘着テープＴの非起立部Ｔ３（図４）に非粘着面β（非起立部Ｔ３の粘着面）側から接触して、粘着テープＴを非粘着面βを内側にして屈曲させ、粘着テープＴの起立部Ｔ１を非起立部Ｔ３（図４）側に倒伏した倒伏部Ｔ２とする。このとき、粘着テープＴが頭部132に接触すると、粘着テープＴがテープ折り返しローラ130から受ける摩擦力が増大して、粘着テープＴに好ましくない皺が形成されたり、起立部Ｔ１が十分に倒伏しなかったりするおそれがあるが、本実施態様のテープ貼着装置100では、胴部対向面の中央に陥没部135が形成されているために、粘着テープＴが頭部132に接触しにくいようになっている。また、粘着テープＴが第二接触部Ａ２で引っ掛かっても、粘着テープＴに好ましくない皺が形成されるおそれがあるが、本実施態様のテープ貼着装置100では、胴部131が円柱状に形成されているために、粘着テープＴが第二接触部Ａ２で引っ掛かりにくいようになっている。【００２４】
第二接触部Ａ２を通過して倒伏部Ｔ２が形成された粘着テープＴは、図５に示すように、テープ折り返しローラ130から再び離れた後、テープ折り返しローラ130と第三接触部Ａ３で接触する。第三接触部Ａ３では、テープ折り返しローラ130の稜部136が、粘着テープＴの倒伏部Ｔ２に非粘着面β（倒伏部Ｔ２の非粘着面）側から接触して、倒伏部Ｔ２を非起立部Ｔ３（図４）に密着させる。このとき、第三接触部Ａ３で粘着テープＴの幅が急激に狭められると、粘着テープＴが第三接触部Ａ３で引っ掛かって、粘着テープＴに好ましくない皺が形成されるおそれがあるが、本実施態様のテープ貼着装置100では、テープ折り返しローラ130の陥没部135がテーパ状に形成されているために、粘着テープＴが、第三接触部Ａ３で引っ掛かりにくいようになっており、粘着テープＴが、第三接触部Ａ３に無理なく導き入れられるようになっている。【００２５】
以上のように、粘着テープＴは、テープ折り返しローラ130の第一接触部Ａ１から第三接触部Ａ３を経て、側端部Ｔ０が粘着テープＴの長手方向に沿って折り返された状態となる。このとき、テープ折り返しローラ130は、どの部分においても、粘着テープＴの粘着面αとは接触しないようになっている。このため、テープ折り返しローラ130は、粘着テープＴを滑らにかつ美しく折り返すことができるものとなっている。【００２６】
［テープ巻回ローラ（テープ巻回手段）］
続いて、テープ巻回ローラ140について説明する。テープ巻回ローラ140は、粘着テープＴを貼着対象物に巻回するためのテープ巻回手段として設けており、後述するテープ巻回アーム150と共同して貼着対象物に粘着テープＴを巻回する。テープ巻回ローラ140は、図７に示すように、中心部141と、中心部141から放射状に延びる複数本のアーム部142とからなっている。各アーム部142は、等間隔に配されており、各アーム部142の間には、貼着対象物を嵌入するための貼着対象物嵌入溝143が形成されている。中心部141には、テープ巻回ローラ140を幅方向に貫通する軸受孔144が設けられており、軸受孔144には、パイプＰ１が遊挿されている。貼着対象物を貼着対象物嵌入溝143に嵌入して押し下げると、テープ巻回ローラ140は、パイプＰ１を中心に矢印ｄ（図３）の向きに回転する。パイプＰ１は、内周面にネジ溝が切られており、ボルトＢ２（図１）を螺合することによって一対の側板110（図１）に固定することができるようになっている。パイプＰ１は、テープ巻回ローラ140を回転可能に支持する軸としての機能だけでなく、一対の側板110（図１）を連結固定する連結具としての機能をも奏するものとなっている。【００２７】
［テープ巻回アーム（テープ巻回手段）］
テープ巻回アーム150も、粘着テープＴを貼着対象物に巻回するためのテープ巻回手段として設けている。テープ巻回アーム150は、図７に示すように、アーム基端部151と、アーム先端部152とからなっている。アーム基端部151とアーム先端部152との中間には、テープ巻回アーム150を幅方向に貫通する軸受孔153が設けられており、軸受孔153には、パイプＰ１と同様のパイプＰ２が遊挿されている。アーム先端部152が押し下げられると、テープ巻回アーム150は、パイプＰ２を中心に矢印ｅ（図３）の向きに回転する。アーム基端部151には、矢印ｆ（図３）の向きに縮むように付勢されたスプリングＳ１（図３）が連結されており、テープ巻回アーム150は、矢印ｅ（図３）とは反対向きに付勢されている。テープ巻回アーム150は、初期状態において、アーム先端部152に設けられた湾曲凹部154（図７）がテープ巻回ローラ140の外周部に係止されて静止した状態となっている。【００２８】
［テープ巻回ローラとテープ巻回アームの動作原理］
テープ巻回ローラ140とテープ巻回アーム150の動作原理について説明する。以下においては、貼着対象物を商品の包装袋として説明する。図７は、初期状態（包装袋のネック300が貼着対象物案内溝114に挿入される前）にあるときのテープ貼着装置100のテープ巻回ローラ140周辺を拡大した図である。図８は、包装袋のネック300が貼着対象物嵌入溝143に嵌入されたときのテープ貼着装置100のテープ巻回ローラ140周辺を拡大した図である。図９は、包装袋のネック300が第一案内部116の出口付近にあるときのテープ貼着装置100のテープ巻回ローラ140周辺を拡大した図である。図１０は、テープ巻回アーム150が粘着テープＴに環状部Ｔ４を形成しているときのテープ貼着装置100のテープ切断アーム160周辺を拡大した図である。粘着テープＴは、図７に示すように、初期状態においては、その先端がテープ巻回アーム150のアーム先端部152から垂下した状態となっている。また、粘着テープＴのテープ巻回アーム150の湾曲凹部154に沿う部分は、湾曲凹部154に粘着された状態となっている。【００２９】
まず、内部に商品が詰め込まれた包装袋の袋口近傍を数回捻って該包装袋にネック300を形成する。次に、ネック300を略水平に保ちながら貼着対象物案内溝114に上方から挿入すると、ネック300は、テープ巻回ローラ140に設けられた貼着対象物嵌入溝143の一つに嵌入されて、その略半周部が粘着テープＴによって巻回された状態となる（図８）。この状態からネック300を押し下げると、テープ巻回ローラ140が回転して、テープ巻回アーム150の湾曲凹部154に粘着されていた粘着テープＴが上方から順に剥がれ始め、ネック300は、その略全周部が粘着テープによって巻回された状態となる（図９）。この後、アーム先端部152がネック300によって押し下げられて、テープ巻回アーム150が回転すると、第一案内部116の出口が広がって、ネック300が第一案内部116を抜け出ることが可能な状態になり、ネック300は第二案内部117に到達する（図１０）。ネック300が第一案内部116の出口を通過すると、テープ巻回アーム150は、スプリングＳ１によって初期位置に復帰する。このとき、テープ巻回アーム150は、アーム先端部151の湾曲凹部154に残っていた粘着テープＴを、テープ巻回ローラ140の外周部で張られた状態となっている粘着テープＴに押し付けて、粘着テープＴの先端部に環状部Ｔ４を形成する。【００３０】
［テープ切断アーム（テープ切断手段）］
続いて、テープ切断アーム160について説明する。テープ切断アーム160は、粘着テープＴを切断するためのテープ切断手段として設けている。テープ切断アーム160は、図１１に示すように、アーム基端部161と、アーム先端部162とからなっている。アーム先端部162には、貼着対象物に巻回された粘着テープＴを切断するための切断刃163が固定されている。アーム基端部161とアーム先端部162との中間には、テープ切断アーム160を幅方向に貫通する軸受孔164が設けられており、軸受孔164には、パイプＰ１，Ｐ２と同様のパイプＰ３が遊挿されている。アーム基端部161が押し下げられると、テープ切断アーム160が、パイプＰ３を中心として矢印ｇ（図３）の向きに回転して、切断刃163が、貼着対象物案内溝114まで変位して粘着テープＴを切断する。アーム先端部162には、矢印ｈ（図３）の向きに縮むように付勢されたスプリングＳ２が連結されており、テープ切断アーム160は、矢印ｇ（図３）とは反対向きに付勢されている。テープ切断アーム160は、初期状態において、アーム基端部161に設けられた湾曲凸部165（図１０）がテープ押さえアーム170に係止されて静止した状態となっている。【００３１】
［テープ押さえアーム（テープ押さえ手段）］
テープ押さえアーム170は、貼着対象物に巻回された粘着テープＴを押さえるためのテープ押さえ手段として設けている。テープ押さえアーム170は、図１１に示すように、アーム基端部171と、アーム先端部172とからなっている。アーム基端部171には、テープ押さえアーム170を幅方向に貫通する軸受孔173が設けられており、軸受孔173には、パイプＰ１〜Ｐ３と同様のパイプＰ４が遊挿されている。テープ切断アーム160のアーム基端部161が押し下げられると、テープ押さえアーム170が、テープ切断アーム160に追従して、パイプＰ４を中心として矢印ｉ（図３）の向きに回転する。アーム基端部171には、矢印ｊ（図３）の向きに縮むように付勢されたスプリングＳ３が連結されており、テープ押さえアーム170は、矢印ｉ（図３）の向きに付勢されている。テープ押さえアーム170は、初期状態において、アーム先端部172に設けられた湾曲凸部174（図１１）がテープ切断アーム170に係止されて静止した状態となっている。【００３２】
［テープ切断アームとテープ押さえアームの動作原理］
テープ切断アーム160とテープ押さえアーム170の動作原理について説明する。図１１は、切断刃163が粘着テープＴを切断しているときのテープ貼着装置100のテープ切断アーム160周辺を拡大した図である。図１２は、包装袋のネック300が取り出し口118にあるときのテープ切断アーム160周辺を拡大した図である。図１０の状態から、ネック300をさらに押し下げると、アーム基端部161がネック300によって押し下げられて、テープ切断アーム160が回転する。すると、アーム先端部162に固定されている切断刃163が、第二案内部117に突き出て、粘着テープＴを切断する（図１１）。アーム基端部161がさらに押し下げられると、第二案内部117の出口が押し広げられて、ネック300が第二案内部117を抜け出ることが可能な状態になり、ネック300は取り出し口118に到達する（図１２）。ネック300が第二案内部117の出口を通過すると、ネック300によって押し広げられていたテープ切断アーム160とテープ押さえアーム170は、それぞれスプリングＳ２とスプリングＳ３によって初期位置に復帰する。このとき、粘着テープＴに形成されていた環状部Ｔ４は、テープ押さえアーム170によって押し潰された状態となり、ネック300は、締め付けられた状態となる。ネック300を取り出し口118から引き抜くと、一連の作業が終了する。【００３３】
［切断ユニット（仕上げ手段）］
最後に、切断ユニット180について説明する。切断ユニット180は、粘着テープＴが巻回された貼着対象物の不要部を切除するための仕上げ手段として設けている。切断ユニット180は、図３に示すように、切断刃181と、切断刃181を保持するケース182とからなっている。ケース182には、貼着対象物を切断刃181まで案内するための貼着対象物案内溝183が設けられている。切断ユニット180は、ケース182に設けられた貼着対象物案内溝183が一対の側板110に設けられた貼着対象物案内溝115に略合致する位置に固定される。切断ユニット180は、貼着対象物の寸法を調整する場合だけでなく、貼着対象物に巻回された粘着テープＴを切断してその長さを調整する場合にも用いることができる。【００３４】
［貼着対象物］
図１３は、本実施態様のテープ貼着装置100（図１）を用いて密封した包装袋のネック300周辺を拡大した斜視図である。図１３をみると、包装袋は、ネック300を粘着テープＴによって締め付けられていて密封されていることがわかる。また、ネック300に巻回された粘着テープＴには、粘着テープＴの長手方向に沿って折り返された非貼着部Ｔ５が形成されていることもわかる。ネック300に巻回された粘着テープＴは、一対の非貼着部Ｔ５を摘んでそれぞれを離反する向きに引っ張ることによって、容易に剥がすことができる。このため、開封者は、鋏やナイフ等の道具を用いたり、包装袋を破いたりしなくとも、包装袋の中身を容易に取り出すことができるようになっている。従って、一度用いた包装袋を再利用することも可能である。以上においては、包装袋のネック300を密封する例を用いて、本実施態様のテープ貼着装置100を説明したが、テープ貼着装置100の貼着対象物は、包装袋に限定されるものではなく、長ネギやゴボウ等の長尺物を複数本束ねたもの等であってもよい。
【図１】
2006013674.tif 000002
【図２】
2006013674.tif 000003
【図３】
2006013674.tif 000004
【図４】
2006013674.tif 000005
【図５】
2006013674.tif 000006
【図６】
2006013674.tif 000007
【図７】
2006013674.tif 000008
【図８】
2006013674.tif 000009
【図９】
2006013674.tif 000010
【図１０】
2006013674.tif 000011
【図１１】
2006013674.tif 000012
【図１２】
2006013674.tif 000013
【図１３】
2006013674.tif 000014
【国際調査報告】
2006013674.tif 000015
2006013674.tif 000016